【事件の表示】
　上記当事者間の登録第２０５３１１９号商標の登録取消審判事件について、次のとおり審決する。
【結　論】
　本件審判の請求は、成り立たない。
　審判費用は、請求人の負担とする。
【理　由】
１　本件商標
　本件登録第２０５３１１９号商標（以下「本件商標」という。）は、「ＵＮＩＴＥＤ」の欧文字と「ユナイテッド」の片仮名文字を二段に横書きしてなり、昭和５７年１月５日登録出願、第１７類「被服（運動用特殊被服を除く）布製身回品（他の類に属するものを除く）寝具類（寝台を除く）」を指定商品として、昭和６３年６月２４日に設定登録され、その後、平成１０年６月１６日に商標権存続期間の更新登録がなされているものである。
　　
２　請求人の主張
　請求人は、本件商標の登録は、その指定商品中「二重まわし、だてまき、たび、ずきん、ねまき、及びこれらに類似する商品」について取消す、審判費用は被請求人の負担とする、との審決を求める旨申し立て、その理由を要旨次のとおり述べている。
（１）取消事由
　本件商標は、継続して３年以上日本国内において、商標権者（又は通常使用権者）によって指定商品中「二重まわし、だてまき、たび、ずきん、ねまき、及びこれらに類似する商品」については一度も使用された事実が存在しないから、商標法第５０条第１項の規定により取消されるべきである。
（２）取消原因
　請求人は、本件請求に先立って職業的調査機関に依頼して当該商標権者の業務内容、取扱商品の範囲、そして特に欧文字「ＵＮＩＴＥＤ」と片仮名「ユナイテッド」を二段に書してなる本件商標の使用の実態について、取引先に対する照会等を含め鋭意詳細に調査を実行した。しかしながら、本件請求に係る指定商品に関する限り、本件商標が使用されたことを示す資料を発見することが出来なかった。また、本件登録については専用使用権または通常使用権の登録もされておらず、それらの存在を窺わせる資料も存在しない。
　したがって、本件商標は前記商品については過去３年間にわたって日本国内では使用されなかったものと推認される。
　　　　
３　被請求人の答弁
　被請求人は、結論同旨の審決を求める旨答弁し、その理由を要旨次のように述べ、証拠方法として、乙第１号証ないし同第２５号証を提出した。
　被請求人は、本件商標をその請求に係る指定商品について、本件審判請求の予告登録前３年以内に使用している事実がある。これを、以下において立証する。尚、請求人の主張する商品「二重まわし」は、洋服・コートに包含される類似商品である。また、商品「ねまき」は、セーター類・ワイシャツ類・下着・ねまき類に包含される類似商品である。さらに、商品「たび」は、くつ下・ネクタイと類似する商品である。
（１）乙第１号証及び乙第２号証の１は、被請求人であるハワード株式会社の会社案内である。乙第１号証として提出する会社案内、並びに乙第２号証の１として提出する会社案内に開示されているように、ハワード株式会社は、昭和４５（１９７０）年の会社設立から一貫して、衣料品、服飾品の製造ならびに販売それに付帯する一切の事業をしているアパレルメーカーである。そして、本件商標「ＵＮＩＴＥＤ／ユナイテッド」が使用された商品も、乙第１号証及び乙第２号証の１にそれぞれ「ＵＮＩＴＥＤ」ブランドとしてそれぞれ明記されている。この「ＵＮＩＴＥＤ」ブランドは、当社の取り扱うアパレル商品「ジャケット・スラックス　シャツ　ネクタイ　ソックス」等の商品について長年に亘って使用されている。
　これらの「ＵＮＩＴＥＤ」ブランド商品は、当社の企業戦略に基づき、以下に説明するように、当社独自に季節ごとの展示会、並びに販売促進を図る新聞広告並びに定期刊行物広告等のメディアを通して、取引業界に広く紹介されている。「ＵＮＩＴＥＤ」ブランド商品は、主要取引先を経由した流通経路を経て、広く顧客に愛用され、今日に至っている。
　なお、乙第１号証の会社案内は、ハワード株式会社がそれまでの会社案内に替えて、平成８（１９９６）年から平成９（１９９７）年に掛けて、使用されていた会社案内である。
　また、乙第２号証の１の会社案内は、乙第１号証の会社案内に替えて、平成１０（１９９８）年の年頭から、商談、展示会等を経て取引先に頒布・使用されてる会社案内であります。なお、乙第２号証の１の会社案内の発行部数は、添付の乙第２号証の２の請求書に示すように、３０００部印刷し、現在までにその大半が商談、展示会等を経て取引先に頒布・配付されていた。
（２）乙第３号証は、平成８（１９９６）年９月４〜６日に開催された本件商標「ＵＮＩＴＥＤ」を表示した商品の「’９７　春夏展示会開催のご案内」の案内状である。この案内状は、厚紙に欧米大文字で「ＵＮＩＴＥＤ」の表示と、登録商標である旨のマル「Ｒ」の表示がされている。
　この案内状で「ＵＮＩＴＥＤ」ブランドとして紹介された商品は、「ジャケット・スラックス（ハワード株式会社）　シャツ（敷島紡績株式会社アパレル部）ネクタイ（株式会社エムエイシー）　ソックス（三協株式会社）」と標記されている。すなわち、「シャツ」の敷島紡績株式会社、「ネクタイ」の株式会社エムエイシー、「ソックス」の三協株式会社は、本件商標「ＵＮＩＴＥＤ」の通常使用権者であります。このように、本件商標「ＵＮＩＴＥＤ」を表示した商品「ジャケット・スラックス　シャツ　ネクタイ　ソックス」は、１９９６年９月頃から現実に継続して使用されている。
（３）乙第４号証は、１９９６年（平成８年）８月２７日発行の「繊研新聞」の抜粋記事の写である。この新聞記事は、上記乙第３号証に示す「’９７　春夏展示会」を紹介する新聞広告である。この新聞記事は、上記乙第３号証と同一内容が掲載されている。この新聞広告は、両端上部に「ＵＮＩＴＥＤ」ブランド商品着用の写真を掲載し、写真を挟んで中央上段に欧米大文字で「ＵＮＩＴＥＤ」の表示と、登録商標である旨のマル「Ｒ」の表示がなされている。
　また、この記事でも、上記乙第３号証で紹介された「ＵＮＩＴＥＤ」のブランド商品と同様に、「ジャケット・スラックス（ハワード株式会社）　シャツ（敷島紡績株式会社アパレル部）　ネクタイ（株式会社エムエイシー）　ソックス（三協株式会社）」と掲載されている。このことから、アパレル業界において本件商標「ＵＮＩＴＥＤ」を表示した商品「ジャケット・スラックス　シャツ　ネクタイ　ソックス」については、１９９６年９月頃には業界において広く知られ、現実に継続して使用されている。
（４）乙第５号証の１〜６は、上記乙第３号証で立証した「’９７春夏展示会開催のご案内」の本件商標「ＵＮＩＴＥＤ」を表示した商品の展示状況を記録した写真（平成８（１９９６）年９月５日撮影）である。乙第５号証の１〜６の写真は、展示会場で本件商標「ＵＮＩＴＥＤ」を表示した商品「ジャケット・スラックス　シャツ　ネクタイ　ソックス」についての展示の状態を撮影している。１９９６年９月頃には業界において広く知られ、現実に継続して使用されていることが明らかである。
（５）乙第６号証は、平成９（１９９７）年２月１９〜２１日に開催された本件商標「ＵＮＩＴＥＤ」を表示した商品の「’９８　秋冬展示会開催のご案内」の案内状である。この案内状は、厚紙に欧米大文字で「ＵＮＩＴＥＤ」の表示と、登録商標である旨のマル「Ｒ」の表示がなされている。この案内状でも、上記乙第３号証に示す「ＵＮＩＴＥＤ」のブランドで紹介された商品と同様に、「ジャケット・スラックス（ハワード株式会社）　シャツ（敷島紡績株式会社アパレル部）ネクタイ（株式会社エムエイシー）　ソックス（三協株式会社）」と掲載されている。このことからアパレル業界において、本件商標「ＵＮＩＴＥＤ」を表示した商品「ジャケット・スラックス　シャツ　ネクタイ　ソックス」については、１９９７年２月頃には業界において広く知られ、現実に継続して使用されていることは明らかである。
（６）乙第７号証の１〜１１は、上記乙第６号証で立証した 「’９７　春夏展示会開催のご案内」の本件商標「ＵＮＩＴＥＤ」を表示した商品の展示状況を記録した写真（平成９（１９９７）年２月１６日撮影）である。乙第７号証の１〜１１の写真は、展示会場で本件商標「ＵＮＩＴＥＤ」を表示した商品「ジャケット・スラックス　シャツ　ネクタイ　ソックス」の展示状態を撮影している。このように、１９９７年２月頃にも業界において広く知られ現実に継続して使用されていることが明らかである。
（７）乙第８号証の１は、平成９（１９９７）年２月２７日号の「週刊文春」に掲載した商標権者ハワードの広告頁の抜粋である。この広告頁の抜粋は、顧客に配付することができるように本件商標「ＵＮＩＴＥＤ」の表示を付けて、栞形式に再製したものである。この広告は、欧米大文字で「ＵＮＩＴＥＤ」の表示と、登録商標である旨のマル「Ｒ」の表示がなされている。この広告記事によれば、上記「ＵＮＩＴＥＤ」のブランドで紹介された商品は、「ジャケット・スラックス（ハワード株式会社）　シャツ （敷島紡績株式会社アパレル部）　ネクタイ（株式会社エムエイシー）　ソックス（三協株式会社）」と掲載されている。このことからアパレル業界のみならず、一般需要者においても、本件商標「ＵＮＩＴＥＤ」を表示した商品「ジャケット・スラックス　シャツ　ネクタイ　ソックス」については、１９９６年９月頃から広く知られ現実に継続して使用されている。また、乙第８号証の２は、乙第７号証の写真の一部で、展示会場で「ＵＮＩＴＥＤ」ブランドを付けた服装一式と上記乙第８号証の１とが共に展示された状態で撮影した写真（平成９（１９９７）年２月１６日撮影）である。
（８）乙第９号証は、１９９７年（平成 ９）年８月２７〜２９日に開催された本件商標「ＵＮＩＴＥＤ」を表示した商品の「’９８　春夏展示会開催のご案内」の案内状である。この案内状は、厚紙に欧米大文字で「ＵＮＩＴＥＤ」の表示と、登録商標である旨のマル「Ｒ」の表示がされている。この案内状でも「ＵＮＩＴＥＤ」ブランドとして紹介された商品は、「ジャケット・スラックス（ハワード株式会社）　シャツ（敷島紡績株式会社アパレル部）　ネクタイ（株式会社エムエイシー）　ソックス（三協株式会社）」と標記されている。すなわち、「シャツ」の敷島紡績株式会社、「ネクタイ」の株式会社エムエイシー、「ソックス」の三協株式会社は、本件商標「ＵＮＩＴＥＤ」の通常使用権者である。このように、本件商標「ＵＮＩＴＥＤ」を表示した商品「ジャケット・スラックス　シャツ　ネクタイソックス」は、１９９７年８月の時点においても、現実に継続して使用されていることは明白である。
（９）乙第１０号証の１〜４は、上記乙第９号証で立証した「’９８　春夏展示会開催のご案内」の本件商標「ＵＮＩＴＥＤ」を表示した商品の展示状況を記録した写真（１９９７年（平成 ９）年８月２９日撮影）である。乙第１０号証の１〜４の写真は、展示会場で本件商標「ＵＮＩＴＥＤ」を表示した商品「ジャケット・スラックス　シャツ　ネクタイ　ソックス」についての展示の状態を撮影している。このように、１９９７年８月頃にも業界において広く知られ、現実に継続して使用されていることが明らかである。
（１０）乙第１１号証は、平成９（１９９７）年６月２５日株式会社マガジンハウス発行の「ＰＯＰＥＹＥ」に掲載した広告頁の写である。この広告は、上記乙第３、６号証に示すのと同様に、一貫して欧米大文字で「ＵＮＩＴＥＤ」の表示と、登録商標である旨のマル「Ｒ」の表示がなされている。この広告によれば、メンズカジュアルメーカーのハワード（本商標権者）は「ＵＮＩＴＥＤ」ブランドについて、１９９７年夏シーズンに、「ＵＮＩＴＥＤ」ブランド商品「ジャケット・スラックス　シャツ　ネクタイ　ソックス」を取引業界のみならず一般にも紹介している。このように、情報誌を通して、１９９７年６月夏にも、現実に継続して使用されている。
（１１）乙第１２号証は、１９９８年（平成１０年）９月２〜４日に開催された本件商標「ＵＮＩＴＥＤ」を表示した「’９９　ＳＰＲＩＮＧ ＆ ＳMＭＥＲ ＣＯＬＬＥＣＴＩＯＮ展示会」の案内状である。この案内状は、厚紙に欧米大文字で「ＵＮＩＴＥＤ」の表示と、登録商標である旨のマル「Ｒ」の表示がなされている。この案内状で「ＵＮＩＴＥＤ」ブランドで紹介された商品は、上記各号証同様「ジャケット・スラックス　シャツ　ネクタイ　ソックス」と標記されている。このように、商品「ジャケット・スラックス　シャツ　ネクタイソックス」は、１９９８年１０月頃にも、現実に継続して使用されている。
（１２）乙第１３号証の１及び乙第１３号証の２は、平成１０年９月２〜４日に開催された本件商標「ＵＮＩＴＥＤ」を表示した「’９９　ＳＰＲＩＮＧ ＆ ＳＵＭＭＥＲ　ＣＯＬＬＥＣＴＩＯＮ　展示会」の際のネクタイ及びソックスの商品リストである。この展示会には、上記のように「ジャケット・スラックスシャツ　ネクタイ　ソックス」が展示され、そのうち、商品「ネクタイ」及び商品「ソックス」について、カタログでも紹介したものである。このように、「ＵＮＩＴＥＤ」ブランドの商品「ネクタイ」及び商品「ソックス」は、１９９８年１０月頃には、現実に継続して使用されている。
（１３）乙第１４号証は、１９９８年（平成１０年）２月１８日発行の本件商標「ＵＮＩＴＥＤ」を表示した「′９８　秋冬合同展示会」案内の「織研新聞」に行った新聞広告の写である。この掲載広告は、欧米大文字で「ＵＮＩＴＥＤ」の表示と、登録商標である旨のマル「Ｒ」の表示がなされている。この記事で「ＵＮＩＴＥＤ」のブランドで紹介された商品は、上記各号証同様「ジャケット・スラックス　シャツ　ネクタイ　ソックス」と標記されている。このように、本件商標「ＵＮＩＴＥＤ」を表示した商品「ジャケット・スラックス　シャツ　ネクタイ　ソックス」は、１９９８年２月にも、現実に継続して使用されていることは明らかである。
（１４）乙第１５号証は、本件商標「ＵＮＩＴＥＤ」を表示した「見頃」（ミゴロ）である。「見頃」は、「ジャケット・スラックス　シャツ　ネクタイソックス」などの商品に縫着されるものである。特にスーツの内ポケットの上には出所表示として必ず縫着されるものである。
（１５）乙第１６号証は、本件商標「ＵＮＩＴＥＤ」を表示した下げ札である。下げ札は、「ジャケット・スラックス　シャツ　ネクタイ　ソックス」などの商品に掛けるものである。通常、スーツのボタンに掛けて、店頭等で表示されている。
（１６）乙第１６号証は、平成 ９（１９９７）年２月２８日発行のセンイ・ジャナル新聞に掲載された本件商標「ユナイテッド」を表示した商品の紹介記事である。この掲載内容によれば、メンズカジュアルメーカーのハワード（本商標権者）は「ＵＮＩＴＥＤ」ブランドについて、１９９７年秋冬物として、ジャケット＆パンツからシャツ、ネクタイマデノフルコーデネイトであることが明記されている。この記事からも「ＵＮＩＴＥＤ」のブランドで紹介された商品「ジャケット・スラックス　シャツ　ネクタイ」は、１９９７年２月にも、現実に継続して使用されている。
（１７）乙第１７号証は、平成１１（１９９９）年３月２５日マガジンハウス発行の情報誌「ＰＯＰＥＹＥ」の「１９９９年３月２５日号」に掲載した商標権者ハワード株式会社の広告頁の写である。この広告は、「ジャケット・スラックス　シャツネクタイ」の組合わせ写真と、大文字で「第１回ＵＮＩＴＥＤコーデネイト大賞」開催の表示と、本件商標「ＵＮＩＴＥＤ」ブランドをハワード株式会社が取り扱っていることが掲載されている。この広告によれば本件商標「ＵＮＩＴＥＤ」は、「ジャケット・スラックス　シャツ　ネクタイ」について、現在も、現実に継続して使用されていることは明らかである。
（１８）乙第１８号証は、平成１１（１９９９）年４月１４日株式会社扶桑社発行の情報誌「ＳＰＡ ！」の「１９９９年４月１４日号」に掲載した商標権者ハワード株式会社の広告頁の写である。この広告は、「ジャケット・スラックス　シャツ　ネクタイ」の組合わせ写真と、大文字で「第２回ＵＮＩＴＥＤコーデネイト大賞」開催の表示と、登録商標「ＵＮＩＴＥＤ」ブランドをハワード株式会社が取り扱っていることが掲載されている。この広告によれば、本件商標「ＵＮＩＴＥＤ」は、「ジャケット・スラックス　シャツ　ネクタイ」について、現在も、現実に継続して使用されていることは明らかである。
（１９）乙第１９号証は、平成１１（１９９９）年４月２３日東京ニュース通信社発行の情報誌「ＴＶガイド」の「１９９９ ４．１７−４．２３」に掲載した商標権者ハワード株式会社の広告頁の写である。この広告は、「ジャケット・スラックス　シャツ　ネクタイ」の組合わせ写真と、大文字で「第２回ＵＮＩＴＥＤコーデネイト大賞」開催の表示と、登録商標「ＵＮＩＴＥＤ」ブランドをハワード株式会社が取り扱っていることが掲載されている。この広告によれば、本件商標「ＵＮＩＴＥＤ」は、「ジャケット・スラックス　シャツ　ネクタイ」について、現在も、現実に継続して使用されていることは明らかである。
（２０）乙第２０号証は、平成１１（１９９９）年４月１０日徳間書店発行の情報誌「ＧＯＯＤ　ＰＲＥＳＳ／グッズプレス」の「１９９９年４月号」に掲載した商標権者ハワード株式会社の広告頁の写である。この広告は、「ジャケット・スラックス　シャツ　ネクタイ」の組合わせ写真と、大文字で「第１回ＵＮＩＴＥＤコーデネイト大賞」開催の表示と、登録商標「ＵＮＩＴＥＤ」ブランドをハワード株式会社が取り扱っていることが掲載されている。この広告によれば本件商標「ＵＮＩＴＥＤ」は、「ジャケット・スラックス　シャツ　ネクタイ」について、現在も、現実に継続して使用されていることは明らかである。
（２１）乙第２１号証は、平成１１（１９９９）年５月１日光文社発行の情報誌「Ｇａｉｎｅｒ／ゲイナー」の「１９９９年５月号」に掲載した商標権者ハワード株式会社の広告頁の写である。この広告は、「ジャケット・スラックス　シャツ　ネクタイ」の組合わせ写真と、大文字で「第２回ＵＮＩＴＥＤコーデネイト大賞」開催の表示と、登録商標「ＵＮＩＴＥＤ」ブランドをハワード株式会社が取り扱っていることが掲載されている。この広告によれば本件商標「ＵＮＩＴＥＤ」は、「ジャケット・スラックス　シャツ　ネクタイ」について、現在も、現実に継続して使用されていることは明らかである。
（２２）乙第２２号証は、平成１１（１９９９）年５月１６日株式会社ワールドウォトプレス発行の情報誌「ｍｏｎｏ／モノ・マガジン」の「第１８巻第９号（通巻３８５号）」に掲載した商標権者ハワード株式会社の広告頁の写である。この広告は、「ジャケット・スラックス　シャツ　ネクタイ」の組合わせ写真と、大文字で「第２回ＵＮＩＴＥＤコーデネイト大賞」開催の表示と、登録商標「ＵＮＩＴＥＤ」ブランドをハワード株式会社が取り扱っていることが掲載されている。この広告によれば、本件商標「ＵＮＩＴＥＤ」は、「ジャケット・スラックス　シャツ　ネクタイ」について、現在も、現実に継続して使用されていることは明らかである。
（２３）乙第２３号証は、平成１１（１９９９）年５月２０日徳間書店発行の情報誌「ＦｉｌｄＧｅａｒ／フィールト・ギア」の「１９９９年５月号第６巻第５号（通巻５６号）」に掲載した商標権者ハワード株式会社の広告頁の写である。この広告は、「ジャケット・スラックス　シャツ　ネクタイ」の組合わせ写真と、大文字で「第２回ＵＮＩＴＥＤコーデネイト大賞」開催の表示と、登録商標「ＵＮＩＴＥＤ」ブランドをハワード株式会社が取り扱っていることが掲載されている。この広告によれば本件商標「ＵＮＩＴＥＤ」は、「ジャケット・スラックス　シャツ　ネクタイ」について、現在も、現実に継続して使用されていることは明らかである。
（２４）乙第２４号証は、平成１１（１９９９）年４月１０日ＫＫベストセラーズ発行の情報誌「ＫＡＵＺＯ ！／カウゾ！」Ｖｏ ｌ．１１の「１９９９年４月号」に掲載した商標権者ハワード株式会社の広告頁の写である。この広告は、「ジャケット・スラックス　シャツ　ネクタイ」の組合わせ写真と、大文字で「第１回ＵＮＩＴＥＤコーデネイト大賞」開催の表示と、登録商標「ＵＮＩＴＥＤ」ブランドをハワード株式会社が取り扱っていることが掲載されている。この広告によれば本件商標「ＵＮＩＴＥＤ」は、「ジャケット・スラックス　シャツ　ネクタイ」について、現在も、現実に継続して使用されていることは明らかである。
（２５）乙第２５号証は、平成１１（１９９９）年６月１日東京ニュース通信社発行の情報誌「Ｂ．Ｌ．Ｔ．／ビー・エル・ティー」の「１９９９年６月号」に掲載した商標権者ハワード株式会社の広告頁の写である。この広告は、「ジャケット・スラックス　シャツ　ネクタイ」の組合わせ写真と、大文字で「第２回ＵＮＩＴＥＤコーデネイト大賞」開催の表示と、登録商標「ＵＮＩＴＥＤ」ブランドをハワード株式会社が取り扱っていることが掲載されている。この広告によれば本件商標「ＵＮＩＴＥＤ」は、「ジャケット・スラックス　シャツ　ネクタイ」について、現在も、現実に継続して使用されていることは明らかである。しかるに、上記各証拠によれば、ハワード株式会社が、少なくとも１９９６年９月から１９９９年９月の審判請求の予告登録日まで、「洋服・コート，セーター類・ワイシャツ類・下着・ねまき類，くつ下・ネクタイ」について本件商標「ＵＮＩＴＥＤ／ユナイテッド」を使用していることを立証するこができるものである。
　以上のことから、ハワード株式会社は、本件取消審判請求に係る指定商品については、審判請求の予告登録前３年以内に登録商標の使用をしていることは明らかである。
　　
４　当審の判断
　被請求人提出の乙第１号証ないし同第２５号証を総合勘案すれば、被請求人及び通常使用権者は、本件商標と社会通念上同一と認められる商標を本件審判の請求の登録日前３年以内に日本国内において、取消請求に係る指定商品中「二重まわし、たび、ねまき」に類似する商品「ジャケット・スラックス、ワイシャツ、くつ下」等に使用していた事実を認め得るところである。
　また、請求人は、被請求人の答弁に対し何ら弁駁するところがない。
　したがって、本件商標の登録は、商標法第５０条の規定により、取り消すことはできない。
　よって、結論のとおり審決する。